(57)【要約】【課題】外部記録媒体に書き込みされた設定情報を内部に取り込んで使用するチューナ付電子装置のチャンネル設定の手間を低減する。【解決手段】装置本体から着脱可能である外部記録媒体に書き込みされた設定情報を設定情報記憶手段に読み込むとともに、入力番号を入力されたときには、設定情報記憶手段に記憶された設定情報を参照することによって、チューナ部が受信するチャンネルを入力番号に対応するチャンネルに設定するチューナ付電子装置に使用される外部記録媒体に設定情報を書き込む構成において、地域を示す地域情報が入力される入力手段５を備え、地域のそれぞれに対応した設定情報を記録したデータベース１８を参照することによって、入力された地域情報に対応する設定情報を外部記録媒体６１，６２に書き込む。【選択図】  図１
2007110564.tif 000002
【特許請求の範囲】
【請求項１】
テレビ放送を受信するチューナ部と、
入力手段に入力される番号である入力番号とチューナ部が受信するテレビ放送のチャンネルを示す受信チャンネル番号との対応関係を示す設定情報を記憶する設定情報記憶手段と、
設定情報の読み込みを指示されたときには、装置本体に着脱可能である外部記録媒体に書き込みされた設定情報を設定情報記憶手段に読み込む情報読込手段と、
入力番号が入力されたときには、設定情報記憶手段に記憶された設定情報を参照することによって、チューナ部が受信するチャンネルを入力番号に対応するチャンネルに設定するチャンネル制御手段とを備えたチューナ付電子装置に使用される外部記録媒体に設定情報を書き込む設定情報書込装置であって、
地域を示す地域情報が入力される入力手段を備え、
地域のそれぞれに対応した設定情報を記録したデータベースを参照することによって、入力手段に入力された地域情報に対応する設定情報を表示装置に表示するとともに表示装置に表示された設定情報を変更可能とし、且つ、書き込みの指示が与えられたときには、表示装置に表示された設定情報を外部記録媒体に書き込むことを特徴とする設定情報書込装置。
【請求項２】
テレビ放送を受信するチューナ部と、
入力手段に入力される番号である入力番号とチューナ部が受信するテレビ放送のチャンネルを示す受信チャンネル番号との対応関係を示す設定情報を記憶する設定情報記憶手段と、
設定情報の読み込みを指示されたときには、装置本体から着脱可能である外部記録媒体に書き込みされた設定情報を設定情報記憶手段に読み込む情報読込手段と、
入力番号を入力されたときには、設定情報記憶手段に記憶された設定情報を参照することによって、チューナ部が受信するチャンネルを入力番号に対応するチャンネルに設定するチャンネル制御手段とを備えたチューナ付電子装置に使用される外部記録媒体に設定情報を書き込む設定情報書込装置であって、
地域を示す地域情報が入力される入力手段を備え、
地域のそれぞれに対応した設定情報を記録したデータベースを参照することによって、入力手段に入力された地域情報に対応する設定情報を外部記録媒体に書き込むことを特徴とする設定情報書込装置。
【請求項３】
入力手段に入力された地域情報に対応する設定情報を表示装置に表示することを特徴とする請求項２に記載の設定情報書込装置。
【請求項４】
テレビ放送を受信するチューナ部と、
入力手段に入力される番号である入力番号とチューナ部が受信するテレビ放送のチャンネルを示す受信チャンネル番号との対応関係を示す設定情報を記憶する設定情報記憶手段と、
設定情報の書き込みを指示されたときには、設定情報記憶手段が記憶した設定情報を、装置本体から着脱可能である外部記録媒体に書き込む情報書込手段と、
設定情報の読み込みを指示されたときには、外部記録媒体に書き込みされた設定情報を設定情報記憶手段に読み込む情報読込手段と、
入力番号を入力されたときには、設定情報記憶手段に記憶された設定情報を参照することによって、チューナ部が受信するチャンネルを入力番号に対応するチャンネルに設定するチャンネル制御手段とを備えたチューナ付電子装置において、
設定情報記憶手段を不揮発性メモリとしたことを特徴とするチューナ付電子装置。
【請求項５】
光ディスクにデータの書き込みを行うとともに光ディスクに書き込みされたデータの再生を行うディスクドライブ部を備え、
外部記録媒体を光ディスクとしたことを特徴とする請求項４に記載のチューナ付電子装置。
【発明の詳細な説明】
【技術分野】
【０００１】
本発明は、入力手段に入力される番号である入力番号と、チューナ部が受信するテレビ放送のチャンネルを示す受信チャンネル番号との対応関係を示す設定情報を、装置本体から着脱可能である外部記録媒体に書き込む設定情報書込装置およびチューナ付電子装置に関する。
【背景技術】
【０００２】
テレビ受像機やＤＶＤレコーダ等における設定項目のひとつに、チャンネル設定がある。すなわち、リモートコントローラの数字キー等により示される番号と、実際に受信される商用放送のチャンネル番号との対応関係の設定である。一方、このような設定を行った場合であっても、新規にテレビ受像機を購入したときでは、チャンネル設定を新たに行う必要があり、その手間が面倒である。このため、以下に示す技術が提案されている（第１の従来技術とする）。
【０００３】
すなわち、この技術では、ユーザの手元にあるテレビ受像機の設定情報を、インターネット等の通信回線を介して工場に伝送している。そして、工場の側では、伝送された設定情報を、ユーザが購入しようとするテレビ受像機に記憶させた後、ユーザの元に届けるようにしている。従って、新規にテレビ受像機を購入する場合、以前に使用していたテレビ受像機の設定内容と同じ内容に設定されたテレビ受像機が手元に届くので、新たに設定を行うという煩わしさから開放されることになる（例えば、特許文献１参照）。
【０００４】
また、以下に示す技術が提案されている（第２の従来技術とする）。すなわち、この技術では、チャンネル設定を含む設定情報を、テレビ受像機に対して着脱可能な外部記憶媒体、あるいは、ＥＥＰＲＯＭ等のように、書き込み可能な不揮発性メモリに記憶している。そして、以後では、外部記憶媒体に記憶された設定情報、あるいは、ＥＥＰＲＯＭに記憶された設定情報を参照することによって、実際に受信するチャンネルの設定等を行う。また、外部記憶媒体に記憶された設定情報、あるいは、ＥＥＰＲＯＭに記憶された設定情報については、制御を行うマイクロコンピュータに接続されたＲＡＭに書き込みを行ったうえで、このＲＡＭに書き込みされた設定情報を参照する構成も可能であることが、併せて開示されている。
【０００５】
また、既に手元にあるテレビ受像機において設定情報を作成し、外部記憶媒体に記憶した後では、その外部記憶媒体を当該テレビ受像機から取り外し、取り外した外部記憶媒体を、その他のテレビ受像機に取り付けることが開示されている。このため、その他のテレビ受像機の設定内容が、既にあるテレビ受像機において作成した設定内容と同じになる。従って、外出先で視聴するテレビ受像機や、新規に購入したテレビ受像機の設定内容を、既に使用していたテレビ受像機の設定内容と同じ内容にすることができる（例えば、特許文献２参照）。
【特許文献１】特開２００２−４９７９３号公報
【特許文献２】特開２００３−２３５７６号公報
【発明の開示】
【発明が解決しようとする課題】
【０００６】
しかしながら、第１の従来技術を用いる場合では、以下に示す問題を生じていた。すなわち、ユーザの側から設定情報を工場の側に送信するための装置を必要とする。また、工場の側において、受信した設定情報をテレビ受像機に記憶させるための装置を必要とする。すなわち、ユーザの元にあるテレビ受像機の設定情報を工場の側に転送した後、出荷対象のテレビ受像機に記憶させるためのシステムが必要となり、このシステムは大がかりとなるので、実施が困難な技術となっている。
【０００７】
第２の従来技術においては、テレビ受像機において作成された設定情報は、『外部記憶媒体のようにテレビジョン受像機に対して着脱可能な記憶媒体に記憶されるか、あるいはＥＥＰＲＯＭのようにマイクロコンピュータに接続されているテレビジョン受像機内蔵の書き込み可能な不揮発性メモリに記憶される』に過ぎない。すなわち、外部記憶媒体に記憶された設定情報は、ＥＥＰＲＯＭには読み込みされない。従って、例えば、図５に示すテレビ受像機２０２の設定を、テレビ受像機２０１の設定と同じにするには、テレビ受像機２０１に取り付けて設定情報を記憶させた外部記憶媒体（外部記録媒体）６２を、テレビ受像機２０２に取り付けたままとする必要がある（外部記憶媒体の記憶内容をＲＡＭに書き込んだ後、ＲＡＭに書き込みされた設定情報を参照することが開示されているが、このときでは、電源オフにすると、ＲＡＭに書き込みされた設定情報が無くなるので、次に電源オンしたときには、再度、外部記憶媒体に記憶された設定情報をＲＡＭに転送する必要がある。このため、ＲＡＭに書き込みされた情報を参照する構成とするときでも、外部記憶媒体を取り付けておく必要がある）。
【０００８】
このため、テレビ受像機２０１とテレビ受像機２０２との双方を、同じ設定内容として動作させたいときでは、テレビ受像機２０２に外部記憶媒体６２を取り付けた状態を維持する必要がある。言い換えると、テレビ受像機２０２から外部記憶媒体６２を取り外すと、テレビ受像機２０２の設定は所望の内容とならない。従って、３台のテレビ受像機を使用するような場合に、テレビ受像機２０２に接続されていた外部記憶媒体６２を、３台目のテレビ受像機に取り付けた場合では、テレビ受像機２０２の設定を、人手を用いて設定しなければならなくなり、手間を要するという問題がある。
【０００９】
また、上記した第１の従来技術、あるいは、第２の従来技術のどちらを用いる場合であっても、チャンネル設定を行う必要があるため、その設定には手間を要するという問題がある。
【００１０】
本発明は、上記の問題点を解決するため創案されたものであり、その目的は、チューナ付電子装置のチャンネル設定の手間を低減することのでき、且つ、チャンネル設定の内容の確認を容易にすることのでき、且つ、チャンネル設定を、ユーザの好みに、より近い内容とすることのできる設定情報書込装置を提供することにある。
【００１１】
また、本発明の目的は、地域のそれぞれに対応した設定情報を記録したデータベースを参照することによって、入力された地域に対応する設定情報を外部記録媒体に書き込むことにより、外部記録媒体に書き込みされた設定情報を内部に取り込んで使用するチューナ付電子装置のチャンネル設定の手間を低減することのできる設定情報書込装置を提供することにある。
【００１２】
また、上記目的に加え、入力された地域に対応する設定情報を表示することにより、チャンネル設定の内容の確認を容易にすることのできる設定情報書込装置を提供することにある。
【００１３】
また、本発明の目的は、外部記録媒体に記録された設定情報を読み込んで記憶するときに使用されるメモリを不揮発性メモリとすることによって、外部記録媒体を接続して設定情報を読み込んだ後では、外部記録媒体を取り外しても、外部記録媒体に記録された設定情報に従ったチャンネル設定を可能とすることにより、外部記憶媒体が取り外された側の装置のチャンネル設定を、外部記録媒体に記憶されたチャンネル設定と同じ内容に維持することのできるチューナ付電子装置を提供することにある。
【００１４】
また、上記目的に加え、光ディスクへのデータの記録と再生との機能を併せて有する装置において、設定情報を光ディスクに書き込むことにより、設定情報を他の装置に複写可能とするときにも、ハードウエアの追加を不要とすることのできるチューナ付電子装置を提供することにある。
【課題を解決するための手段】
【００１５】
上記の課題を解決するため、本発明に係る設定情報書込装置は、テレビ放送を受信するチューナ部と、入力手段に入力される番号である入力番号とチューナ部が受信するテレビ放送のチャンネルを示す受信チャンネル番号との対応関係を示す設定情報を記憶する設定情報記憶手段と、設定情報の読み込みを指示されたときには、装置本体に着脱可能である外部記録媒体に書き込みされた設定情報を設定情報記憶手段に読み込む情報読込手段と、入力番号が入力されたときには、設定情報記憶手段に記憶された設定情報を参照することによって、チューナ部が受信するチャンネルを入力番号に対応するチャンネルに設定するチャンネル制御手段とを備えたチューナ付電子装置に使用される外部記録媒体に設定情報を書き込む設定情報書込装置に適用している。そして、地域を示す地域情報が入力される入力手段を備え、地域のそれぞれに対応した設定情報を記録したデータベースを参照することによって、入力手段に入力された地域情報に対応する設定情報を表示装置に表示するとともに表示装置に表示された設定情報を変更可能とし、且つ、書き込みの指示が与えられたときには、表示装置に表示された設定情報を外部記録媒体に書き込むようになっている。
【００１６】
すなわち、入力手段に地域を示す地域情報を入力すると、入力した地域情報に対応する設定情報（テレビ受像機等のチューナ付電子装置が設置される地域に対応した設定情報）が外部記録媒体に書き込みされる。従って、この外部記録媒体に書き込みされた設定情報を、チューナ付電子装置の設定情報記憶手段に読み込むのみで、チューナ付電子装置は、その地域に対応するチャンネルのテレビ放送の受信が可能な状態に設定される。また、地域情報を入力したときでは、リモートコントローラ等を用いて入力する番号である入力番号と、入力番号のそれぞれに対応する受信チャンネル番号との一覧が表示される。また、入力番号のそれぞれに対応する受信チャンネル番号を変更することができる。
【００１７】
また、本発明に係る設定情報書込装置は、テレビ放送を受信するチューナ部と、入力手段に入力される番号である入力番号とチューナ部が受信するテレビ放送のチャンネルを示す受信チャンネル番号との対応関係を示す設定情報を記憶する設定情報記憶手段と、設定情報の読み込みを指示されたときには、装置本体から着脱可能である外部記録媒体に書き込みされた設定情報を設定情報記憶手段に読み込む情報読込手段と、入力番号を入力されたときには、設定情報記憶手段に記憶された設定情報を参照することによって、チューナ部が受信するチャンネルを入力番号に対応するチャンネルに設定するチャンネル制御手段とを備えたチューナ付電子装置に使用される外部記録媒体に設定情報を書き込む設定情報書込装置に適用している。そして、地域を示す地域情報が入力される入力手段を備え、地域のそれぞれに対応した設定情報を記録したデータベースを参照することによって、入力手段に入力された地域情報に対応する設定情報を外部記録媒体に書き込むようになっている。
【００１８】
すなわち、入力手段に地域を示す地域情報を入力すると、入力した地域情報に対応する設定情報（テレビ受像機等のチューナ付電子装置が設置される地域に対応した設定情報）が外部記録媒体に書き込みされる。従って、この外部記録媒体に書き込みされた設定情報を、チューナ付電子装置の設定情報記憶手段に読み込むのみで、チューナ付電子装置は、その地域に対応するチャンネルのテレビ放送の受信が可能な状態に設定される。
【００１９】
また、上記構成に加え、入力手段に入力された地域情報に対応する設定情報を表示装置に表示するようになっている。すなわち、地域情報を入力したときでは、リモートコントローラ等を用いて入力する番号である入力番号と、入力番号のそれぞれに対応する受信チャンネル番号との一覧が表示される。
【００２０】
また本発明に係るチューナ付電子装置は、テレビ放送を受信するチューナ部と、入力手段に入力される番号である入力番号とチューナ部が受信するテレビ放送のチャンネルを示す受信チャンネル番号との対応関係を示す設定情報を記憶する設定情報記憶手段と、設定情報の書き込みを指示されたときには、設定情報記憶手段が記憶した設定情報を、装置本体から着脱可能である外部記録媒体に書き込む情報書込手段と、設定情報の読み込みを指示されたときには、外部記録媒体に書き込みされた設定情報を設定情報記憶手段に読み込む情報読込手段と、入力番号を入力されたときには、設定情報記憶手段に記憶された設定情報を参照することによって、チューナ部が受信するチャンネルを入力番号に対応するチャンネルに設定するチャンネル制御手段とを備えたチューナ付電子装置に適用しており、設定情報記憶手段を不揮発性メモリとしている。
【００２１】
すなわち、外部記録媒体に設定情報を書き込みした後、外部記録媒体を取り外したときであっても、設定情報記憶手段に記憶された設定情報は、外部記録媒体に設定情報を書き込む以前と同じ内容に維持される。また、設定情報記憶手段に記憶された設定情報は、電源オフとするときでも、同じ内容に維持される。
【００２２】
また、上記構成に加え、光ディスクにデータの書き込みを行うとともに光ディスクに書き込みされたデータの再生を行うディスクドライブ部を備え、外部記録媒体を光ディスクとしている。すなわち、設定情報を光ディスクに書き込むことで、設定情報を他の装置に複写することができる。
【発明の効果】
【００２３】
本発明によれば、入力手段に地域を示す地域情報を入力すると、入力した地域情報に対応する設定情報が外部記録媒体に書き込みされる。従って、この外部記録媒体に書き込みされた設定情報を、チューナ付電子装置の設定情報記憶手段に読み込むのみで、チューナ付電子装置は、その地域に対応するチャンネルのテレビ放送の受信が可能な状態に設定される。また、地域情報を入力したときでは、リモートコントローラ等を用いて入力する番号である入力番号と、入力番号のそれぞれに対応する受信チャンネル番号との一覧が表示される。また、入力番号のそれぞれに対応する受信チャンネル番号を変更することができる。従って、チューナ付電子装置のチャンネル設定の手間を低減することができ、且つ、チャンネル設定の内容の確認を容易にすることができ、且つ、チャンネル設定を、ユーザの好みに、より近い内容とすることができる。
【００２４】
また、本発明によれば、入力手段に地域を示す地域情報を入力すると、入力した地域情報に対応する設定情報が外部記録媒体に書き込みされる。従って、この外部記録媒体に書き込みされた設定情報を、チューナ付電子装置の設定情報記憶手段に読み込むのみで、チューナ付電子装置は、その地域に対応するチャンネルのテレビ放送の受信が可能な状態に設定される。このため、外部記録媒体に書き込みされた設定情報を内部に取り込んで使用するチューナ付電子装置のチャンネル設定の手間を低減することができる。
【００２５】
また、さらに、地域情報を入力したときでは、リモートコントローラ等を用いて入力する番号である入力番号と、入力番号のそれぞれに対応する受信チャンネル番号との一覧が表示されるので、チャンネル設定の内容の確認を容易にすることができる。
【００２６】
また本発明によれば、外部記録媒体に設定情報を書き込みした後、外部記録媒体を取り外したときであっても、設定情報記憶手段に記憶された設定情報は、外部記録媒体に設定情報を書き込む以前と同じ内容に維持される。また、設定情報記憶手段に記憶された設定情報は、電源オフとするときでも、同じ内容に維持される。このため、外部記憶媒体が取り外された側の装置のチャンネル設定を、外部記録媒体に記憶されたチャンネル設定と同じ内容に維持することができる。
【００２７】
また、さらに、設定情報を光ディスクに書き込むことで、設定情報を他の装置に複写することができるので、設定情報を他の装置に複写可能とするときにも、ハードウエアの追加を不要とすることができる。
【発明を実施するための最良の形態】
【００２８】
以下、本発明の実施の形態について図を参照して説明する。
【００２９】
図２は、本発明に係るチューナ付電子装置の一実施形態であるテレビ受像機の電気的構成を示すブロック線図である。
【００３０】
図において、チューナ部２１は、マイクロコンピュータ（以下では、マイコン２４と称する）２４から指示されたチャンネルのテレビ放送を受信する。そして、受信して得られた映像信号と音声信号とを信号処理回路２２に出力する。信号処理回路２２は、チューナ部２１から出力された映像信号を所定処理することにより得られた表示用信号を、液晶表示器あるいはＣＲＴ等からなる表示器２３に送出する。表示器２３は、信号処理回路２２から出力される表示用信号を画像として表示する（音声信号の経路については図示が省略されている）。
【００３１】
入力回路部３５は、図５に示す装置本体（テレビ受像機）２０１，２０２の前面パネルに設けられた電源キー等のキースイッチや、リモートコントローラ（以下では、リモコンと称する）３６からの赤外線信号を受光する受光ユニット（図示を省略）等からなり、ユーザからの指示が入力される。また、入力された指示をマイコン２４に出力する（入力回路部３５とリモコン３６とは、入力手段２５を形成する）。
【００３２】
設定情報記憶手段２６は、不揮発性メモリであるＥＥＰＲＯＭによって構成されており、入力手段２５に入力される番号である入力番号と、チューナ部２１が受信するテレビ放送のチャンネルを示す受信チャンネル番号との対応関係を示す設定情報（後に詳述する）を記憶する。
【００３３】
インタフェース回路２７は、外部記録媒体６２に、マイコン２４から出力されるデータを送出する。また、外部記録媒体６２から出力されるデータをマイコン２４に送出する。外部記録媒体６２は、例えば、ＵＳＢメモリ等によって構成され、インタフェース回路２７から出力されるデータを記録する。また、記録したデータをインタフェース回路２７に出力する。
【００３４】
マイコン２４は、チャンネル制御手段３１、情報書込手段３２、情報読込手段３３を備えており、テレビ受像機としての主要動作を制御する。すなわち、リモコン３６等に入力された指示に従って、チューナ部２１が受信するチャンネルを制御する。また、リモコン３６等に入力された指示に従って、図示されないスピーカから出力される音量の増減の制御を行う。また、電源のオンオフの制御や、その他の制御を行う。
【００３５】
詳細には、チャンネル制御手段３１は、入力手段２５に入力番号が入力されたときには、設定情報記憶手段２６に記憶された設定情報を参照することによって、チューナ部２１が受信するチャンネルを設定する。情報書込手段３２は、リモコン３６によって設定情報の書き込みを指示されたとき、設定情報記憶手段２６に記憶された設定情報を、インタフェース回路２７を介して、外部記録媒体６２に書き込む。情報読込手段３３は、リモコン３６によって設定情報の読み込みを指示されたとき、外部記録媒体６２に記録された設定情報を、インタフェース回路２７を介して読み込むとともに、読み込んだ設定情報を設定情報記憶手段２６に記憶する。
【００３６】
ここで、設定情報について説明する。設定情報は、図４（Ａ）に示したように、リモコン３６に設けられた数字キーにより示される値（入力番号）と、リモコン３６を用いて入力番号を入力したとき、チューナ部２１が受信するテレビ放送のチャンネル番号（受信チャンネル番号）との対応関係を示す情報（７１により示す）となっている。図４（Ａ）の場合では、数字キーの『１』キーを押下すると１９チャンネルのテレビ放送が受信され、『２』キーを押下すると２８チャンネルのテレビ放送が受信され、『３』キーを押下すると２チャンネルのテレビ放送が受信されることを示している。
【００３７】
図７は、上記した実施形態における設定情報に関連した動作を示すフローチャートである。必要に応じて同図を参照しつつ、実施形態の動作を説明する。
【００３８】
表示器２３に表示されたメニュー画面（図示を省略）のアイコンを用いる、等の方法によって指示を入力したとする（ステップＳ１）。入力された指示がチャンネル設定である場合、入力番号をリモコン３６に入力し、受信チャンネル番号を指示する。すなわち、例えば、入力番号として１〜１２が指定可能であるとすると、入力番号『１』〜入力番号『１２』のそれぞれについて、受信チャンネル番号を設定する。なお、この動作は従来技術と同一となっており、上記動作によって生成された設定情報は設定情報記憶手段２６に記憶される（ステップＳ２，Ｓ３）。
【００３９】
入力された指示が『書き込み』である場合、情報書込手段３２は、設定情報記憶手段２６に記憶された設定情報を読み出し、インタフェース回路２７を介して、外部記録媒体６２に出力する。外部記録媒体６２は、インタフェース回路２７から出力される設定情報を内部に記録する。なお、この動作は、設定情報記憶手段２６に設定情報が記憶され、外部記録媒体６２がインタフェース回路２７に接続されているときでは、任意のタイミングにおいて実行することが可能になっている。また、設定情報を外部記録媒体６２に書き込んだ後にも、設定情報記憶手段２６に記憶された設定情報は、そのまま記憶され続ける（ステップＳ２，Ｓ４，Ｓ５）。
【００４０】
入力された指示が『読み込み』である場合、情報読込手段３３は、インタフェース回路２７を介して、外部記録媒体６２に記録された設定情報を読み込む。そして、読み込んだ設定情報を設定情報記憶手段２６に記憶する（このとき、設定情報記憶手段２６に既に記憶されていた設定情報は、新しい設定情報によって書き換えられる）。なお、この動作は、インタフェース回路２７に外部記録媒体６２が接続されている限りでは、設定情報記憶手段２６に設定情報が記憶されているとき、および、設定情報記憶手段２６に設定情報が記憶されていないときの双方において、実行することが可能になっている（ステップＳ２，Ｓ４，Ｓ６，Ｓ７）。
【００４１】
なお、入力された指示が上記指示と異なる場合、入力された指示に対応する動作が実行される（ステップＳ２，Ｓ４，Ｓ６，Ｓ８）。
【００４２】
以下に、新規にテレビ受像機を購入した場合について、図５を参照して説明する。図５におけるテレビ受像機２０１は、既に手元にあるテレビ受像機を示しており、設定情報記憶手段２６には、以前から使用している設定情報が記憶されている。この状態において、外部記録媒体６２をテレビ受像機２０１に接続し、『書き込み』の指示をテレビ受像機２０１に入力することによって、テレビ受像機２０１内の設定情報を外部記録媒体６２に書き込む。
【００４３】
次いで、外部記録媒体６２をテレビ受像機２０１から取り外し、テレビ受像機２０２に接続する。そして、『読み出し』の指示をテレビ受像機２０２に入力することによって、外部記録媒体６２に記録された設定情報を、テレビ受像機２０２の設定情報記憶手段２６に記憶させる。この動作を行った後では、外部記録媒体６２がテレビ受像機２０２に接続されているかどうかにかかわりなく、テレビ受像機２０２における入力番号と受信チャンネル番号との対応関係は、テレビ受像機２０１の対応関係と同一となる。
【００４４】
すなわち、テレビ受像機２０１とテレビ受像機２０２との２台のテレビ受像機の入力番号と受信チャンネル番号との対応関係を同一とすることができる。従って、さらに新規にテレビ受像機を購入したときにも、同様の動作によって、新規に購入した３台目のテレビ受像機の入力番号と受信チャンネル番号との対応関係を、既に手元にあるテレビ受像機２０１の対応関係と同一とすることができる。
【００４５】
図１は、本発明に係るチャンネル情報書込装置の一実施形態の電気的構成を示すブロック線図である。
【００４６】
図において、ディスクドライブ部１は、光ディスク６１に記録されたデータを再生してコンピュータ部２に出力する。また、コンピュータ部２から出力されるデータを、書き込みが可能な光ディスク（請求項記載の外部記録媒体）６１や書き換えが可能な光ディスク（請求項記載の外部記録媒体）６１に書き込む。表示装置４は、例えば、液晶表示装置やＣＲＴ表示装置等からなり、コンピュータ部２から出力される画像信号を表示する。
【００４７】
ハードディスクドライブ（以下では、ＨＤＤと称する）３は、コンピュータ部２から見たときの外部記憶装置であり、本実施形態を構成するためのプログラムやその他のプログラムが格納される。また、地域のそれぞれに対応した設定情報を示すデータベース１８が格納される。
【００４８】
外部記録媒体６２は、既に説明したように、テレビ受像機２０１，２０２に接続される外部記録媒体（ＵＳＢメモリ等）であり、コンピュータ部２からも着脱可能となっていて、設定情報が記録される。キーボード１６およびマウス１７は、請求項記載の入力手段５を構成し、各種の指示やデータ（例えば、地域を示す地域情報）が入力される。
【００４９】
コンピュータ部２は、ディスクドライブ部１、ＨＤＤ３、等と接続されることにより、パーソナルコンピュータのハードウエアの主要部を構成する。このため、ＣＰＵ１１、メモリ１２、インタフェース回路１３、および、表示回路１４を備えている（必要に応じてその他の回路も備えられるが、これらについては図示が省略されている）。ＣＰＵ１１は、インタフェース回路１３を介して、ＨＤＤ３に記憶されたプログラムを読み出し、メモリ１２に転送する。そして後、メモリ１２に転送されたプログラムを実行することにより、本実施形態としての装置を形成する。
【００５０】
また、ＣＰＵ１１は、インタフェース回路１３を介して、ディスクドライブ部１やＨＤＤ３との間でデータの遣り取りを行う。また、インタフェース回路１３を介して、キーボード１６に入力されたデータやマウス１７による指示を受け取る。
【００５１】
すなわち、ディスクドライブ部１、コンピュータ部２、ＨＤＤ３、表示装置４、および、入力手段５からなる設定情報書込装置１０は、地域を示す地域情報（後に詳述する）が入力手段５に入力されたときには、地域情報のそれぞれに対応した設定情報を記録したデータベース１８を参照することによって、入力手段５に入力された地域情報に対応する設定情報を、外部記録媒体（外部記録媒体６２あるいは書き込みまたは書き換えが可能な光ディスク６１）に書き込む。
【００５２】
なお、入力された地域情報に対応する設定情報については、外部記録媒体に書き込む前に表示装置４に表示される。そして、表示された設定情報における入力番号と受信チャンネル番号との対応関係を、必要に応じて変更することができるようになっている。
【００５３】
以下に、ＨＤＤ３に格納されたデータベース１８について説明する。このデータベース１８は、本実施形態を構成するために必要となるプログラムとともに、光ディスク（例えば、ＣＤ−ＲＯＭ等）６１に格納された状態で提供される。従って、前記プログラムをＨＤＤ３に転送するときに、このデータベース１８も、併せて、ＨＤＤ３に転送され、記憶される。
【００５４】
ＨＤＤ３に記憶されたデータベース１８は、図４（Ａ）に示したように、入力番号と受信チャンネル番号との対応関係を示す設定情報７１に、地域を示す地域情報７２を付加した情報となっている。また、地域情報７２は、図４（Ｂ）に示したように、郵便番号による区分ではなく、住所表記によって区分された情報となっている。その理由は、山間の地域では、同じ郵便番号の地域であっても、山をひとつ隔てると、受信が可能となる受信チャンネル番号が異なるため、同じ郵便番号の地域であっても、設定情報の内容が異なるためである。
【００５５】
図８は、上記実施形態の主要動作を示すフローチャートである。必要に応じて同図を参照しつつ、実施形態の動作を説明する。
【００５６】
設定情報書込装置１０は、動作状態になると、データベース１８に格納された地域情報に基づき、地域の一覧を表示装置４に表示する（ステップＳ１１）。一覧表示された地域から、該当する地域を選択（地域情報を入力）すると（ステップＳ１２）、選択された地域に対応する設定情報がデータベース１８から読み出され、表示装置４に表示される（ステップＳ１３）。
【００５７】
表示された設定情報における入力番号と受信チャンネル番号との対応関係の変更を行うときでは、変更したい受信チャンネル番号にカーソルを移動させ、キーボード１６を用いて、受信したい受信チャンネル番号を入力する（ステップＳ１４，Ｓ１５）。そして後、書き込みの指示を入力する。また、変更の必要がないときでは、変更を行うことなく、書き込みを指示する。書き込みを指示されたときには、設定情報を書き込む書き込み先を、外部記録媒体６２（ＵＳＢメモリ）とするのか、または、光ディスク６１とするのかの選択肢（図示を省略）が表示される（ステップＳ１６，Ｓ１７）。この後、書き込み先を選択すると、選択された書き込み先に設定情報が書き込みされる（ステップＳ１８，Ｓ１９）。
【００５８】
いま、外部記録媒体６２に設定情報が書き込みされたとする。このときでは、外部記録媒体６２をテレビ受像機２０１、あるいは、テレビ受像機２０２に接続し、読み込みの指示を与えるのみで、テレビ受像機２０１，２０２は、設置された地域に最適なチャンネルの番組を受信することが可能になる。
【００５９】
一方、ステップＳ１８において、光ディスク６１が選択されたとする。このときでは、設定情報は光ディスク６１に書き込みされることになる。この光ディスク６１に書き込みされた設定情報によって、受信するテレビ放送のチャンネルが設定される装置について、以下に説明する。
【００６０】
この装置は、チューナ付電子装置の他の実施形態であり、具体的には、ＤＶＤレコーダである。図３は、このＤＶＤレコーダの電気的構成を示すブロック線図となっている。
【００６１】
チューナ部４２は、マイクロコンピュータ（以下では、マイコンと称する）４４から指示されたチャンネルのテレビ放送を受信する。そして、受信して得られた映像音声信号を信号処理部４３に出力する。ディスクドライブ部４１は、光ディスク６１に記録されたデータを再生して、信号処理部４３に出力する。また、信号処理部４３から出力されるデータを、書き込み、あるいは、書き換えが可能な光ディスク（請求項記載の外部記録媒体）６１に書き込む。
【００６２】
信号処理部４３は、チューナ部４２から出力された映像音声信号をＡ／Ｄ変換した後、圧縮処理を行うとともに、ストリーミング処理を行って得られた圧縮信号をディスクドライブ部４１に出力する。また、ディスクドライブ部４１から出力される圧縮信号を、映像信号と音声信号とサブピクチャ信号とに分離した後、伸長処理する。そして、伸長処理した後の信号をＤ／Ａ変換し、外部に設けられたテレビ受像機５８に出力する。
【００６３】
入力回路部５５は、図６に示す装置本体（ＤＶＤレコーダ）４０１，４０２の前面パネルに設けられた電源キー等のキースイッチや、リモートコントローラ（以下では、リモコンと称する）５６からの赤外線信号を受光する受光ユニット（図示を省略）等からなり、ユーザからの指示が入力される。また、入力された指示をマイコン４４に出力する（入力回路部５５とリモコン５６とは、入力手段４６を形成する）。
【００６４】
設定情報記憶手段４５は、不揮発性メモリであるＥＥＰＲＯＭによって構成されており、入力手段４６に入力される番号である入力番号と、チューナ部４２が受信するテレビ放送のチャンネルを示す受信チャンネル番号との対応関係を示す設定情報を記憶する。
【００６５】
マイコン４４は、チャンネル制御手段５１、情報書込手段５２、情報読込手段５３を備えており、ＤＶＤレコーダとしての主要動作を制御する。すなわち、リモコン５６等に入力された指示に従って、チューナ部４２が受信するチャンネルを制御する。また、リモコン５６等に入力された指示に従って、光ディスク（ＤＶＤ等）６１に記録された映像音声信号を再生し、テレビ受像機５８に表示する。また、チューナ部４２が受信した番組を光ディスク６１に記録する。
【００６６】
詳細には、チャンネル制御手段５１は、入力手段４６に入力番号が入力されたときには、設定情報記憶手段４５に記憶された設定情報を参照することによって、チューナ部４２が受信するチャンネルを設定する。情報書込手段５２は、リモコン５６によって設定情報の書き込みを指示されたとき、設定情報記憶手段４５に記憶された設定情報を、ディスクドライブ部４１を介して、外部記録媒体である光ディスク６１に書き込む。情報読込手段３３は、リモコン５６によって設定情報の読み込みを指示されたとき、外部記録媒体である光ディスク６１に記録された設定情報を、ディスクドライブ部４１を介して読み込むとともに、読み込んだ設定情報を設定情報記憶手段４５に記憶する。
【００６７】
図９は、上記した実施形態における設定情報に関連した動作を示すフローチャートである。必要に応じて同図を参照しつつ、実施形態の動作を説明する。
【００６８】
テレビ受像機５８に表示されたメニュー画面（図示を省略）のアイコンを用いる、等の方法によって指示を入力したとする（ステップＳ２１）。入力された指示がチャンネル設定である場合、入力番号をリモコン５６に入力し、受信チャンネル番号を指示する。すなわち、例えば、入力番号として１〜１２が指定可能であるとすると、入力番号『１』〜入力番号『１２』のそれぞれについて、受信チャンネル番号を設定する。なお、この動作は従来技術と同一となっており、上記動作によって生成された設定情報は設定情報記憶手段４５に記憶される（ステップＳ２２，Ｓ２３）。
【００６９】
入力された指示が『書き込み』である場合、情報書込手段５２は、設定情報記憶手段４５に記憶された設定情報を読み出すとともに、読み出した設定情報を、ディスクドライブ部４１を介して、外部記録媒体である光ディスク６１に書き込む。なお、この動作は、設定情報記憶手段４５に設定情報が記憶され、書き込みが可能な光ディスク６１がディスクドライブ部４１にセットされているときでは、任意のタイミングにおいて実行することが可能になっている。また、設定情報を光ディスク６１に書き込んだ後にも、設定情報記憶手段４５に記憶された設定情報は、そのまま記憶され続ける（ステップＳ２２，Ｓ２４，Ｓ２５）。
【００７０】
入力された指示が『読み込み』である場合、情報読込手段５３は、ディスクドライブ部４１を介して、外部記録媒体である光ディスク６１に記録された設定情報を読み込む。そして、読み込んだ設定情報を設定情報記憶手段４５に記憶する（このとき、設定情報記憶手段４５に既に記憶されていた設定情報は、新しい設定情報によって書き換えされる）。なお、この動作は、ディスクドライブ部４１に光ディスク６１がセットされている限りでは、設定情報記憶手段４５に設定情報が記憶されているとき、および、設定情報記憶手段４５に設定情報が記憶されていないときの双方において、実行することが可能になっている（ステップＳ２２，Ｓ２４，Ｓ２６，Ｓ２７）。
【００７１】
なお、入力された指示が上記指示と異なる場合、入力された指示に対応する動作が実行される（ステップＳ２２，Ｓ２４，Ｓ２６，Ｓ２８）。
【００７２】
以下に、新規にＤＶＤレコーダを購入した場合について、図６を参照して説明する。図６におけるＤＶＤレコーダ４０１は、既に手元にあるＤＶＤレコーダを示しており、設定情報記憶手段４５には、以前から使用している設定情報が記憶されている。この状態において、光ディスク６１をＤＶＤレコーダ４０１にセットし、『書き込み』の指示をＤＶＤレコーダ４０１に入力することによって、ＤＶＤレコーダ４０１内の設定情報を光ディスク６１に書き込む。
【００７３】
次いで、光ディスク６１をＤＶＤレコーダ４０１から取り外し、ＤＶＤレコーダ４０２に挿入する。そして、『読み出し』の指示をＤＶＤレコーダ４０２に入力することによって、光ディスク６１に記録された設定情報を、ＤＶＤレコーダ４０２の設定情報記憶手段４５に記憶させる。この動作を行った後では、光ディスク６１がＤＶＤレコーダ４０２にセットされているかどうかにかかわりなく、ＤＶＤレコーダ４０２における入力番号と受信チャンネル番号との対応関係は、ＤＶＤレコーダ４０１の対応関係と同一となる。
【００７４】
すなわち、ＤＶＤレコーダ４０１とＤＶＤレコーダ４０２との２台のＤＶＤレコーダの入力番号と受信チャンネル番号との対応関係を同一とすることができる。従って、さらに新規にＤＶＤレコーダを購入したときにも、同様の動作によって、新規に購入した３台目のＤＶＤレコーダの入力番号の受信チャンネル番号との対応関係を、既に手元にあるＤＶＤレコーダ４０１の対応関係と同一とすることができる。
【００７５】
また、光ディスク６１を、図１に示す設定情報書込装置によって設定情報が書き込みされた光ディスクとするときでは、ＤＶＤレコーダ４０１においても、入力番号と受信チャンネル番号との対応関係の設定を行うことなく、その地域に対応した入力番号と受信チャンネル番号との対応関係を、ＤＶＤレコーダ４０１に設定することができる。従って、例えば、引っ越しをしたことから、受信対象となるテレビ放送のチャンネルがそれまでとは異なる状態となるときでも、引っ越し先の地域に対応する設定情報を、設定情報書込装置を用いて、光ディスク６１に書き込むときでは、入力番号と受信チャンネル番号との対応関係の設定を行うことなく、その地域に対応した入力番号と受信チャンネル番号との対応関係を、ＤＶＤレコーダ４０１に設定することができる。つまり、チャンネル設定の手間を低減することができる。
【００７６】
なお、本発明は上記実施形態に限定されず、外部記録媒体については、その他の任意の媒体とすることができる。
【００７７】
また、チューナ付電子装置としては、テレビ受像機やＤＶＤレコーダに適用した場合について説明したが、テレビ放送を受信するチューナ部を備えた、その他の任意の装置の場合にも、同様に適用することができる。
【００７８】
また、設定情報書込装置が設定情報を取得する方法としては、プログラムと設定情報とが記録された光ディスクから取り込む方法とした場合について説明したが、通信回線を介して取り込む構成とすることもできる。
【図面の簡単な説明】
【００７９】
【図１】本発明に係る設定情報書込装置の一実施形態を構成するコンピュータの電気的構成を示すブロック線図である。
【図２】本発明に係るチューナ付電子装置の一実施形態であるテレビ受像機の電気的構成を示すブロック線図である。
【図３】本発明に係るチューナ付電子装置の他の実施形態であるＤＶＤレコーダの電気的構成を示すブロック線図である。
【図４】設定情報および地域情報を示す説明図である。
【図５】外部記録媒体とテレビ受像機との接続の様子を示す説明図である。
【図６】外部記録媒体（光ディスク）とＤＶＤレコーダとの対応関係を示す説明図である。
【図７】テレビ受像機の主要動作を示すフローチャートである。
【図８】設定情報書込装置の主要動作を示すフローチャートである。
【図９】ＤＶＤレコーダの主要動作を示すフローチャートである。
【符号の説明】
【００８０】
４  表示装置
５  入力手段
１８  データベース
２１  チューナ部
２５  入力手段
２６  設定情報記憶手段
３１  チャンネル制御手段
３２  情報書込手段
３３  情報読込手段
４１  ディスクドライブ部
４２  チューナ部
４５  設定情報記憶手段
４６  入力手段
５１  チャンネル制御手段
５２  情報書込手段
５３  情報読込手段
６１  光ディスク（外部記録媒体）
６２  ＵＳＢメモリ（外部記録媒体）
７１  設定情報
７２  地域情報
【図１】
2007110564.tif 000003
【図２】
2007110564.tif 000004
【図３】
2007110564.tif 000005
【図４】
2007110564.tif 000006
【図５】
2007110564.tif 000007
【図６】
2007110564.tif 000008
【図７】
2007110564.tif 000009
【図８】
2007110564.tif 000010
【図９】
2007110564.tif 000011